(57)【要約】【課題】複数種類のダミーロール紙を用意しなくても、プリンターのロール紙収納部を仕切る仕切り板の位置を柔軟に調整できるプリンター用のスペーサーを提供すること。【解決手段】スペーサー１は、仕切り板４６に当接可能な第１端面１１ａを備える第１スペーサー部材１１と、第１端面１１ａとは反対側を向く第２端面１２ａを備える第２スペーサー部材１２と、第１スペーサー部材１１を第２スペーサー部材１２に対して軸線Ｌ方向に移動可能に支持する支持機構１３を備える。また、第１スペーサー部材１１にはスペーサー１の幅寸法Ｗを示す寸法表示１８が設けられ、第２スペーサー部材１２には覗き窓２３が設けられている。第１スペーサー部材１１を第２スペーサー部材１２に対して軸線Ｌ方向に移動させると、スペーサー１の幅寸法Ｗに対応する寸法表示１８が覗き窓２３から視認可能となり、スペーサー１の幅寸法Ｗを所望の寸法とすることが容易である。【選択図】図１
2016047631.tif 000002
【特許請求の範囲】
【請求項１】
プリンターのロール紙収納部に配置されて当該ロール紙収納部に投入されるロール紙の幅に対応する位置に仕切り板をセットするためのプリンター用のスペーサーであって、
前記仕切り板に当接可能な第１端面を備える第１スペーサー部材と、
前記第１端面とは反対側を向く第２端面を備える第２スペーサー部材と、
前記第１端面と前記第２端面との間の幅寸法が第１寸法となる第１位置と当該幅寸法が前記第１寸法とは異なる第２寸法となる第２位置との間で前記第１スペーサー部材を前記第２スペーサー部材に対して移動可能に支持する支持機構と、
前記第１スペーサー部材および前記第２スペーサー部材の一方に設けられ、前記第１寸法に対応する第１表示および前記第２寸法に対応する第２表示が形成された目盛と、
前記目盛が設けられたスペーサー部材の他方のスペーサー部材に設けられた覗き窓と、を有し、
前記支持機構によって、前記第１スペーサー部材が前記第１位置に支持されたときに前記第１表示が前記覗き窓から視認可能となり、前記第１スペーサー部材が前記第２位置に支持されたときに前記第２表示が前記覗き窓から視認可能となることを特徴とするプリンター用のスペーサー。
【請求項２】
請求項１において、
前記第１表示および前記第２表示のそれぞれが前記覗き窓から目視可能となったときに、前記第１スペーサー部材と前記第２スペーサー部材とを着脱可能に係止する係止機構を有することを特徴とするプリンター用のスペーサー。
【請求項３】
請求項１において、
前記第１スペーサー部材、前記支持機構および前記第２スペーサー部材が幅方向に延びる軸線回りに回転して転がることを防止する転がり防止機構を有することを特徴とするプリンター用のスペーサー。
【請求項４】
請求項１において、
前記ロール紙収納部に配置された状態で当該ロール紙収納部にロール紙がないことを検出する前記プリンターの検出器に検出される被検出部を有することを特徴とするプリンター用のスペーサー。
【請求項５】
請求項１において、
前記ロール紙収納部を開閉する前記プリンターの開閉蓋に当接して当該開閉蓋が閉状態とされることを阻止する干渉部を有することを特徴とするプリンター用のスペーサー。
【発明の詳細な説明】
【技術分野】
【０００１】
本発明は、ロール紙収納部内でロール紙の紙幅方向への移動を規制する仕切り板をセットするために用いられるプリンター用のスペーサーに関する。
【背景技術】
【０００２】
ロール紙から繰り出される長尺状の記録紙に印刷を施すロール紙プリンターは特許文献１に記載されている。同文献のロール紙プリンターは、ロール紙を収納するロール紙収納部内にロール紙の紙幅方向への移動を規制するガイド機構を備える。
【０００３】
ガイド機構は、互いに接近する方向および離間する方向に移動可能な一対の仕切り板を備える。一対の仕切り板のうちの一方の仕切り板をロール紙収納部の内壁部分に設けられた目盛に従ってロール紙の紙幅寸法に対応する位置に移動させると、一対の仕切り板の間がロール紙の紙幅寸法に適合した間隔に設定される。ロール紙は一対の仕切り板の間に投入されてロール紙プリンターに装填される。
【先行技術文献】
【特許文献】
【０００４】
【特許文献１】特開２００８−１２８２９号公報
【発明の概要】
【発明が解決しようとする課題】
【０００５】
記録紙として長尺状の台紙に一定間隔でラベルが剥離可能に貼り付けられたラベル用紙を繰り出すロール紙は、ラベルのサイズの多様化に対応して、幅寸法の異なる複数種類のものが流通している。従って、プリンターを顧客に納入する際には、ロール紙収納部内の仕切り板の位置を、顧客が使用する種類のロール紙の紙幅に適合させておく必要がある。しかし、このような場合に、ロール紙収納部の壁面に設けられた目盛を確認しながら仕切り板の位置を調整するのでは、仕切り板の位置調整作業を迅速に行うことができない。
【０００６】
かかる位置調整作業を迅速に行うためには、顧客が使用するロール紙と同様の幅寸法を備える円柱形状のダミーロール紙を用意しておき、このダミーロール紙をロール紙収納部に投入して、ダミーロール紙に仕切り板を当接させて仕切り板を位置決めすることが考えられる。しかし、この場合には、流通しているいずれの種類のロール紙にも対応することができるように、幅寸法の異なる複数種類のダミーロール紙を用意しておかなければならないという問題がある。
【０００７】
本発明の課題は、このような点に鑑みて、複数種類のダミーロール紙を用意しなくても、プリンターのロール紙収納部を仕切る仕切り板の位置を柔軟に調整できるプリンター用のスペーサーを提供することにある。
【課題を解決するための手段】
【０００８】
上記の課題を解決するために、本発明は、プリンターのロール紙収納部に配置されて当該ロール紙収納部に投入されるロール紙の幅に対応する位置に仕切り板をセットするためのプリンター用のスペーサーであって、前記仕切り板に当接可能な第１端面を備える第１スペーサー部材と、前記第１端面とは反対側を向く第２端面を備える第２スペーサー部材と、前記第１端面と前記第２端面との間の幅寸法が第１寸法となる第１位置と当該幅寸法が前記第１寸法とは異なる第２寸法となる第２位置との間で前記第１スペーサー部材を前記第２スペーサー部材に対して移動可能に支持する支持機構と、前記第１スペーサー部材および前記第２スペーサー部材の一方に設けられ、前記第１寸法に対応する第１表示および前記第２寸法に対応する第２表示が形成された目盛と、前記目盛が設けられたスペーサー部材の他方のスペーサー部材に設けられた覗き窓と、を有し、前記支持機構によって、前記第１スペーサー部材が前記第１位置に支持されたときに前記第１表示が前記覗き窓から視認可能となり、前記第１スペーサー部材が前記第２位置に支持されたときに前記第２表示が前記覗き窓から視認可能となることを特徴とする。
【０００９】
本発明によれば、第１スペーサー部材の支持位置を第２スペーサー部材に対して移動させることにより、仕切り板に当接可能な第１端面と、第１端面とは反対側を向く第２端面との間の距離（スペーサーの幅寸法）を変更できる。従って、スペーサーの幅寸法を印刷に用いるロール紙の紙幅寸法に調整し、しかる後に、スペーサーをロール紙収納部に投入して第１端面を仕切り板に当接させ、第２端面をロール紙収納部の側壁面などに当接させた状態とすれば、異なる幅寸法を備える複数種類のスペーサーを用意しなくても仕切り板の位置を複数種類のロール紙に対応させて柔軟に調節できる。また、持ち運びが容易なスペーサーに目盛を備えるので、ロール紙収納部の壁面に形成された目盛を確認する場合と比較して、目盛の確認が容易であり、スペーサーにおける第１端面と第２端面との間の距離を調整することが容易である。
【００１０】
本発明において、前記第１表示および前記第２表示のそれぞれが前記覗き窓から目視可能となったときに、前記第１スペーサー部材と第２スペーサー部材とを着脱可能に係止する係止機構を有することが望ましい。このようにすれば、スペーサー部材の幅寸法を所望の寸法としたときに、第１スペーサー部材と第２スペーサー部材を相対移動不能とすることができる。従って、スペーサーを、所望の幅寸法とした状態で維持できる。
【００１１】
本発明において、前記第１スペーサー部材、前記支持機構および前記第２スペーサー部材が幅方向に延びる軸線回りに回転して転がることを防止する転がり防止機構を有することが望ましい。このようにすれば、スペーサーが転がることを防止できる。
【００１２】
本発明において、前記ロール紙収納部に配置された状態で当該ロール紙収納部にロール紙がないことを検出する前記プリンターの検出器に検出される被検出部を有することが望ましい。このようにすれば、スペーサーがロール紙収納部内に配置されている状態をプリンターが紙有り状態であると認識して印刷処理を開始してしまうことを防止できる。
【００１３】
本発明において、前記ロール紙収納部を開閉する前記プリンターの開閉蓋に当接して当該開閉蓋が閉状態とされることを阻止する干渉部を有することが望ましい。このようにすれば、仕切り板の位置調整が終了した後に、スペーサーをロール紙収納部内に置き忘れてしまうことを防止できる。
【図面の簡単な説明】
【００１４】
【図１】本発明を適用したスペーサーの説明図である。
【図２】仕切り板の位置調整を行うロール紙プリンターの斜視図である。
【図３】図２のロール紙プリンターの分解斜視図である。
【図４】スペーサーによる仕切り板の位置調整方法の説明図である。
【図５】変形例１〜４のスペーサーの説明図である。
【図６】変形例５のスペーサーの説明図である。
【発明を実施するための形態】
【００１５】
以下に、図面を参照して、本発明を適用したプリンター用のスペーサーの実施の形態を説明する。
【００１６】
（スペーサー）
図１（ａ）〜（ｄ）は、それぞれ本発明を適用したスペーサーの斜視図、側面図、断面図および分解図である。スペーサー１は、ロール紙プリンターのロール紙収納部に配置されて、ロール紙収納部に投入されるロール紙の幅に対応する位置に仕切り板をセットするために用いられる。
【００１７】
スペーサー１は、図１（ａ）に示すように、全体として円柱形状をしている。スペーサー１は、第１端面１１ａを備える第１スペーサー部材１１と、第１端面１１ａとは反対側を向く第２端面１２ａを備える第２スペーサー部材１２を備える。第１端面１１ａは軸線Ｌ方向の第１方向Ｌ１の端に位置し、第２端面１２ａは第１方向Ｌ１とは反対の第２方向Ｌ２の端に位置する。従って、図１（ｂ）に示すように、第１端面１１ａと第２端面１２ａはスペーサー１の軸線Ｌ方向における幅寸法Ｗを規定する。また、スペーサー１は、図１（ｃ）に示すように、第１端面１１ａと第２端面１２ａが接近する方向および離れる方向に第１スペーサー部材１１を第２スペーサー部材１２に対して移動可能に支持する支持機構１３を備える。
【００１８】
第１スペーサー部材１１は樹脂製である。第１スペーサー部材１１は第１方向Ｌ１の端面が第１端面１１ａとなっている円形の第１板部１５と、第１板部１５から第２方向Ｌ２に突出する第１円筒部１６を備える。第１円筒部１６と第１板部１５とは同軸であり、第１円筒部１６の外径寸法は第１板部１５の外径寸法よりも短い。第１円筒部１６の外周面には、螺旋状に目盛１７が設けられている。目盛１７には、複数の寸法表示（第１表示・第２表示）１８が形成されている。本例では、寸法表示１８は、所定の色に着色された矩形領域と、矩形領域の中央に位置する数字を備える。また、第１スペーサー部材１１は、第１板部１５の中央部分から第１円筒部１６の内側を当該第１円筒部１６と同軸に延びる内側筒部１９を備える。内側筒部１９の内周面には雌ネジが形成されている。
【００１９】
第２スペーサー部材１２も第１スペーサー部材１１と同様に樹脂製である。第２スペーサー部材１２は第２方向Ｌ２の端面が第２端面１２ａとなっている円形の第２板部２１と、第２板部２１の外周縁部分から第２板部２１と同軸に第２方向Ｌ２に突出する第２円筒部２２を備える。第２板部２１の外径寸法は第２円筒部２２の外径寸法と同一であり、第２板部２１および第２円筒部２２は、第１スペーサー部材１１の第１板部１５と同一の外径寸法を備える。第２円筒部２２の内径寸法は、第１スペーサー部材１１の第１円筒部１６の外径寸法よりも僅かに大きい。
【００２０】
第２円筒部２２には、第１方向Ｌ１の端縁部分の周方向の１箇所に覗き窓２３が形成されている。覗き窓２３は第２円筒部２２を径方向に貫通する矩形の貫通孔である。覗き窓２３における開口部の形状は第１スペーサー部材１１の目盛１７の寸法表示１８における矩形領域と同一とされている。また、第２スペーサー部材１２は第２板部２１の中央部分から第２円筒部２２の内側を当該第２円筒部２２と同軸に延びるボルト部２４を備える。ボルト部２４の外周面には、第１スペーサー部材１１の内側筒部１９の内周面に形成された雌ネジと螺合可能な雄ネジが形成されている。
【００２１】
第１スペーサー部材１１は、第１円筒部１６が第２スペーサー部材１２の第２円筒部２２に挿入され、内側筒部１９に第２スペーサー部材１２のボルト部２４が捩じ込まれた状態で第２スペーサー部材１２に支持される。
【００２２】
第１スペーサー部材１１が第２スペーサー部材１２に支持された状態で、第１スペーサー部材１１と第２スペーサー部材１２を軸線Ｌ回りに相対回転させると、第１スペーサー部材１１と第２スペーサー部材１２が軸線Ｌ方向に相対移動する。すなわち、第１スペーサー部材１１の内側筒部１９と第２スペーサー部材１２のボルト部２４は支持機構１３を構成しており、第１スペーサー部材１１と第２スペーサー部材１２を軸線Ｌ回りで相対回転させることにより、第２スペーサー部材１２に対して第１スペーサー部材１１を移動させて、スペーサー１の幅寸法Ｗ（第１端面１１ａと第２端面１２ａの間の距離）を変更できる。また、第１スペーサー部材１１が第２スペーサー部材１２に支持されて、第１円筒部１６が第２円筒部２２の内周側に挿入された状態となると、第１スペーサー部材１１の目盛１７の一部分が第２スペーサー部材１２の覗き窓２３と径方向で重なる。これにより、図１（ｂ）に示すように、スペーサー１の幅寸法Ｗに対応した寸法表示１８が覗き窓２３を介して外側から目視可能となる。
【００２３】
（ロール紙プリンター）
次に、本例のスペーサー１を用いてロール紙収納部内の仕切り板の位置調整を行うことが可能なロール紙プリンターの例を説明する。図２（ａ）はロール紙収納部の開閉蓋を閉状態としたロール紙プリンターの外観斜視図であり、図２（ｂ）はロール紙収納部の開閉蓋を開状態としたロール紙プリンターの斜視図である。ロール紙プリンター４０はラインサーマルプリンターである。なお、以下の説明では、図２に示す姿勢をロール紙プリンター４０の設置姿勢とする。また、互いに直交する３方向を、プリンター幅方向Ｘ、プリンター前後方向Ｙ、プリンター上下方向Ｚとする。
【００２４】
図２に示すように、ロール紙プリンター４０は、全体として直方体形状をしたプリンター本体４１と、プリンター本体４１に取り付けられた開閉蓋４２を有する。開閉蓋４２はプリンター本体４１の上面に形成された開口部４１ａを開閉する。プリンター本体４１の上面における開閉蓋４２の前方Ｙ１（プリンター前後方向Ｙの前方）には、記録紙排出口４３が設けられている。記録紙排出口４３は開口部４１ａの一部分であり、開閉蓋４２の前端縁に沿ってプリンター幅方向Ｘに延びている。記録紙排出口４３の側方には蓋開閉レバー４４が配置されている。蓋開閉レバー４４を操作すると開閉蓋４２のロックが解除される。これにより、開閉蓋４２は、その後端部分をプリンター幅方向Ｘに延びる回動中心軸回りに上方に回動して、ほぼ垂直となるまで開く。
【００２５】
開閉蓋４２が開くと、図２（ｂ）に示すように、プリンター本体４１の内部に形成されたロール紙収納部４５が開放状態となる。ロール紙収納部４５には仕切り板４６が配置されている。仕切り板４６は、有頭ネジ４７によってプリンター本体４１に固定されている。仕切り板４６は、ロール紙収納部４５におけるプリンター幅方向Ｘの一方の第１側壁面とともに、ロール紙１００を装填する装填空間４８を区画している。
【００２６】
ここで、開閉蓋４２には印刷ヘッド４９による印刷位置を規定するプラテンローラー５０が取り付けられている。プラテンローラー５０は、開閉蓋４２が開くと、印刷位置からプリンター本体４１の外側に移動する。従って、開閉蓋４２を開くと、ロール紙収納部４５から印刷位置を経由して記録紙排出口４３に至る紙搬送路が開放状態となる。
【００２７】
ロール紙プリンター４０にロール紙１００を装填する際には、図２（ｂ）に示すように、長尺状の記録紙１０１を引き出した状態としたロール紙１００を装填空間４８に投入して、開閉蓋４２を閉じる。開閉蓋４２を閉じると、記録紙１０１は紙搬送路に沿ってセットされ、印刷位置において印刷ヘッド４９とプラテンローラー５０の間に挟み込まれた状態となる。従って、ロール紙プリンター４０による記録紙１０１への印刷が可能となる。
【００２８】
なお、ロール紙プリンター４０は、ロール紙収納部４５内にロール紙１００がないことを検出する検出器５１を備える。検出器５１は、ロール紙収納部４５の第１側壁面４５ａからロール紙収納部４５内に突出する検出位置と、ロール紙収納部４５から退避した退避位置との間を移動可能な検出部５２を備える。検出器５１は、検出部５２が検出位置に位置すると、ロール紙収納部４５にロール紙１００がないことを検出する。一方、検出部５２が退避位置に位置した場合には、ロール紙収納部４５に装填されたロール紙１００との干渉により検出部５２が退避位置に移動させられているものとして、ロール紙収納部４５内にロール紙１００があることを検出する。
【００２９】
（ロール紙収納部および仕切り板）
図３はロール紙プリンター４０の分解斜視図である。図３に示すように、ロール紙収納部４５は、第１側壁面４５ａと、プリンター幅方向Ｘで第１側壁面４５ａと対向する第２側壁面４５ｂを備える。第１側壁面４５ａの後側の下端部分と第２側壁面４５ｂの後側の下端部分の間にはプリンター幅方向Ｘに延びるガイド軸５５が架け渡されている。ロール紙収納部４５の底面の前側部分には、一定幅でプリンター幅方向Ｘに延びるガイド面５６が設けられている。ガイド面５６には２つの筒状の突部５７が形成されている。２つの突部５７は所定の間隔でプリンター幅方向Ｘに配列されている。突部５７の中心孔には雌ねじが形成されている。
【００３０】
仕切り板４６は、ロール紙１００の端面にプリンター幅方向Ｘから当接可能な当接面６１ａを備える仕切り板本体６１と、仕切り板本体６１の前側の下端部分から当接面６１ａが向いている方向に突出する前側ガイド６２と、仕切り板本体６１の後方の下側部分から当接面６１ａが向いている方向に突出する後側ガイド６３を備える。前側ガイド６２は、平坦な下端面６２ａを備えるとともに、プリンター幅方向Ｘに延びる長孔６４を備える。長孔６４における長手方向の寸法は、ロール紙収納部４５のガイド面５６に設けられた２つの突部５７を包含する寸法よりも長い。後側ガイド６３はプリンター幅方向Ｘに延びる凹部６５を備える。凹部６５は後側ガイド６３を後方Ｙ２から切り欠いて設けられている。
【００３１】
仕切り板４６は、後側ガイド６３の凹部６５内にガイド軸５５が挿入され、前側ガイド６２の下端面６２ａにガイド面５６が当接し、長孔６４内に２つの突部５７が挿入された状態でロール紙収納部４５内に配置される。仕切り板４６は、ロール紙収納部４５内に配置された状態で、ガイド軸５５に沿ってプリンター幅方向Ｘに移動可能である。なお、仕切り板４６は、２つの突部５７のいずれか一方がプリンター幅方向Ｘで長孔６４の内周面に当接するまで移動する。また、仕切り板４６は、図２（ｂ）に示すように、有頭ネジ４７が、前側ガイド６２の長孔６４を貫通して突部５７の中心孔に捩じ込まれることにより、プリンター本体４１に固定される。
【００３２】
（仕切り板の位置調整方法）
図４は仕切り板４６の位置調整方法の説明図である。仕切り板４６の位置を調整する際には、有頭ネジ４７を緩めて、仕切り板４６をロール紙収納部４５内でプリンター幅方向Ｘにスライド可能な状態とする。また、図１に示すスペーサー１の幅寸法Ｗを、印刷に用いるロール紙１００の紙幅寸法Ｒに対応するものとする。具体的には、第１スペーサー部材１１と第２スペーサー部材１２を軸線Ｌ回りに相対回転させ、覗き窓２３から目視できる寸法表示１８を、ロール紙１００の紙幅寸法Ｒとする。これによりスペーサー１の幅寸法Ｗはロール紙１００の紙幅寸法Ｒに対応した寸法となる。
【００３３】
次に、スペーサー１を、仕切り板本体６１とロール紙収納部４５の第１側壁面４５ａとの間に挿入する。そして、スペーサー１の第１端面１１ａおよび第２端面１２ａのうちの一方をロール紙収納部４５の第１側壁面４５ａに当接させる。その後、仕切り板４６をプリンター幅方向Ｘにスライドさせて、仕切り板４６の当接面６１ａを、スペーサー１の第１端面１１ａおよび第２端面１２ａの他方に当接させる。これにより、仕切り板４６は、印刷に用いられるロール紙１００の紙幅寸法Ｒに対応した位置に位置決めされる。その後、有頭ネジ４７を捩じ込んで、仕切り板４６をプリンター本体４１に固定する。しかる後に、スペーサー１をロール紙収納部４５から取り出す。
【００３４】
本例によれば、第１スペーサー部材１１と第２スペーサー部材１２を相対移動させることによりスペーサー１の幅寸法Ｗを変更できる。従って、異なる幅寸法Ｗを備える複数種類のスペーサー１を用意しなくても、仕切り板４６の位置を複数種類のロール紙１００に対応させて柔軟に調節できる。
【００３５】
また、持ち運びが容易なスペーサー１に目盛１７を備えるので、ロール紙収納部４５の壁面に形成された目盛１７を確認する場合と比較して、目盛１７の確認が容易である。従って、スペーサー１の幅寸法Ｗを調整することが容易である。
【００３６】
（変形例）
図５（ａ）、（ｂ）はそれぞれ変形例１、２のスペーサーの斜視図である。図６（ａ）〜（ｄ）はそれぞれ変形例３〜６のスペーサーの斜視図である。なお、変形例１〜６のスペーサー１Ａ〜１Ｆは、それぞれ上記のスペーサー１と同様の構成を備えるので、対応する部分には同一の符号を付してその説明を省略する。
【００３７】
図５（ａ）に示す変形例１のスペーサー１Ａは、第１スペーサー部材１１の目盛１７における寸法表示１８が覗き窓２３から目視可能となったときに、第１スペーサー部材１１と第２スペーサー部材１２とを着脱可能に係止する係止機構７１を有する。
【００３８】
本例では、第１スペーサー部材１１の目盛１７において各寸法表示１８が形成された各目盛部分１７ａは、それぞれが覗き窓２３(開口部）に着脱可能に係合する突部として形成されている。すなわち、本例の係止機構７１は目盛１７の目盛部分１７ａと覗き窓２３を備え、第１スペーサー部材１１の目盛部分１７ａと第２スペーサー部材１２の覗き窓２３が径方向で重なると、目盛部分１７ａと覗き窓２３の係合によって第１スペーサー部材１１と第２スペーサー部材１２の相対移動を防止する。本例によれば、スペーサー１Ａを、ロール紙１００の紙幅寸法Ｒに対応する幅寸法Ｗとした状態で維持することが容易である。
【００３９】
図５（ｂ）に示す変形例２のスペーサー１Ｂは、第１端面１１ａおよび第２端面１２ａの中央部分に円形の凹部７３を備える。凹部７３は、スペーサー１Ｂがロール紙収納部４５に配置されたときに、ロール紙収納部４５にロール紙１００がないことを検出するロール紙プリンター４０の検出器５１に検出される被検出部である。すなわち、本例のスペーサー１Ｂをロール紙収納部４５内に配置した場合に、凹部７３は検出器５１の検出部５２と対向し、検出部５２を凹部７３内に受け入れる。この結果、スペーサー１Ｂがロール紙収納部４５内に配置されている場合でも、検出部５２は検出位置に位置し、検出器５１は、ロール紙収納部４５にロール紙１００がないことを検出する。本例によれば、スペーサー１Ｂがロール紙収納部４５内に配置されている状態をロール紙プリンター４０が紙有り状態であると認識して印刷処理を開始してしまうことを防止できる。
【００４０】
なお、第１スペーサー部材１１における目盛１７の各寸法表示１８の間に凹部を設け、第２スペーサー部材１２の第２円筒部２２における第１方向Ｌ１の端部分の内周面に凹部と着脱可能に係止する凸部を設け、これら凹部および凸部によって係止機構７１を構成してもよい。
【００４１】
図６（ａ）〜図６（ｄ）に示す変形例３〜６のスペーサー１Ｃ、１Ｄ、１Ｅ、１Ｆは、第１スペーサー部材１１、支持機構１３および第２スペーサー部材１２が軸線Ｌ回りに回転して転がることを防止する転がり防止機構７５を有する。
【００４２】
図６（ａ）に示す変形例３のスペーサー１Ｃは、第１スペーサー部材１１の第１板部１５および第２スペーサー部材１２の第２円筒部２２の環状外周面に、軸線Ｌ方向に延びる溝７７が一定間隔で設けられている。これにより、第１スペーサー部材１１の第１板部１５および第２スペーサー部材１２の第２円筒部２２の環状外周面は、それぞれ、凹凸を備える。本例では、溝７７が設けられた第１板部１５および第２円筒部２２が転がり防止機構７５を構成しており、スペーサー１Ｃの軸線Ｌ回りの転動が第１板部１５および第２円筒部２２の形状によって阻止される。
【００４３】
図６（ｂ）に示す変形例４のスペーサー１Ｄは、第１スペーサー部材１１の第１板部１５および第２スペーサー部材１２の第２板部２１の平面形状が互いに正多角形とされている。また、第１板部１５および第２板部２１に外接する外接円の外径寸法は、第２スペーサー部材１２の第２円筒部２２の外径寸法よりも大きい。本例では、第１板部１５および第２板部２１が転がり防止機構７５を構成しており、スペーサー１Ｄの軸線Ｌ回りの転動が第１板部１５および第２板部２１の形状によって阻止される。
【００４４】
図６（ｃ）に示す変形例５のスペーサー１Ｅは、第１スペーサー部材１１の第１円筒部１６の内周側および第２スペーサー部材１２の第２円筒部２２の内周側の少なくとも一方に錘７８を備える。錘７８は、周方向の１箇所に固定されて、スペーサー１Ｅの重心を軸線Ｌから径方向の外側に離間させる。本例では、錘７８が転がり防止機構７５を構成しており、スペーサー１Ｅの軸線Ｌ回りの転動が錘７８に作用する重力によって阻止される。
【００４５】
図６（ｄ）に示す変形例６のスペーサー１Ｆは、第２スペーサー部材１２の第２円筒部２２から外周側に突出する突出部（干渉部）８０を備える。本例では、突出部８０が転がり防止機構７５を構成しており、スペーサー１Ｅの軸線Ｌ回りの転動が突出部８０によって阻止される。また、本例のスペーサー１Ｆでは、スペーサー１Ｅがロール紙収納部４５内に配置されているときに開閉蓋４２を閉めようとすると、突出部８０が開閉蓋４２に当接して当該開閉蓋４２が閉状態とされることを阻止する。従って、本例では、仕切り板４６の位置調整が終了した後に、スペーサー１Ｆをロール紙収納部４５内に置き忘れてしまうことを防止できる。
【符号の説明】
【００４６】
１・１Ａ〜１Ｅ・・スペーサー、１１・・第１スペーサー部材、１１ａ・・第１端面、１２・・第２スペーサー部材、１２ａ・・第２端面、１３・・支持機構、１５・・第１板部、１６・・第１円筒部、１７・・目盛、１７ａ各目盛部分、１８・・寸法表示（第１表示・第２表示）、１９・・内側筒部、２１・・第２板部、２２・・大２筒部、２３・・覗き窓、２４・・ボルト部、４０・・ロール紙プリンター、４１・・プリンター本体、４１ａ・・開口部、４２・・開閉蓋、４３・・記録紙排出口、４４・・蓋開閉レバー、４５・・ロール紙収納室、４５ａ・・第１側壁面、４５ｂ・・第２側壁面、４６・・仕切り板、４７・・有頭ネジ、４８・・装填空間、４９・・印刷ヘッド、５０・・プラテンローラー、５１・・検出器、５２・・検出部、５５・・ガイド軸、５６・・ガイド面、５７・・突部、６１・・仕切り板本体、６１ａ・・当接面、６２・・前側ガイド、６２ａ・・下端面、６３・・後側ガイド、６３・・長孔、６４・・凹部、７１・・係止機構、７３・・凹部（被検出部）、７５・・転がり防止機構、７７・・溝、７８・・錘、８０・・突出部（干渉部）、１００・・ロール紙、１０１・・記録紙、Ｌ・・軸線、Ｌ１・・第１方向、Ｌ２・・第２方向、Ｒ・・ロール紙の紙幅寸法、Ｗ・・スペーサーの幅寸法、Ｘ・・プリンター幅方向、Ｙ・・プリンター前後方向、Ｚ・・プリンター上下方向
【図１】
2016047631.tif 000003
【図２】
2016047631.tif 000004
【図３】
2016047631.tif 000005
【図４】
2016047631.tif 000006
【図５】
2016047631.tif 000007
【図６】
2016047631.tif 000008